【手続補正書】
【提出日】平成18年3月9日(2006.3.9)
【手続補正１】
【補正対象書類名】明細書
【補正対象項目名】発明の名称
【補正方法】変更
【補正の内容】
【発明の名称】地図表示装置、ナビゲーション装置、及び地図表示方法
【手続補正２】
【補正対象書類名】明細書
【補正対象項目名】特許請求の範囲
【補正方法】変更
【補正の内容】
【特許請求の範囲】
【請求項１】
車両の現在位置を検出し、その現在位置に対応する地図情報を地図情報蓄積手段より検索して表示部上に表示する地図表示装置において、
前記車両の現在位置に関連した複数の自然画像を記億する自然画像蓄積手段と、
前記地図情報を表示する表示画面を親画面としたとき、この親画面の一部に前記自然画像を表示する少なくともｌつの子画面を選択的に表示する表示部と、
前記子画面への自然画像の表示状態を指示する操作部と、
前記操作部からの指示に基づいて、前記表示部の表示を制御する表示制御部と、 撮像手段とで構成され、
前記撮像手段で撮像された自然画像は撮像地点における位置情報と共に前記蓄積手段に蓄積され、
前記撮像手段の撮像、取り込みが前記操作部からの指示に基づいて制御されると共に、予め蓄積された自然画像および前記撮像手段から取り込まれた自然画像のうち、前記車両の現在位置に関連した自然画像を上記子画面に表示するようにしたことを特徴とする地図表示装置。
【請求項２】
前記子画面は、前記地図情報の読み取りを阻害しない大きさであって、かつ、前記自然画像を認織可能な大きさであることを特徴とする請求項１記載の地図表示装置。
【請求項３】
前記親画面のほぼ中央部の両側に２つの子画面表示領域が設けられ、前記地図情報の中央部に車両の現在位置を示すマークが表示されると共に、 前記子画面には、前記車両の現在位置の両側に存在する風景や目標物などの自然画像を対応させて表示するようにしたことを特徴とする講求項１記載の地図表示装置。
【請求項４】
前記子画面への自然画像は、目的地などの検索を行うスクロールモードの場合の他に、前記車両走行時における地図表示モードのときも表示されるようになされたことを特徴とする請求項１記載の地図表示装置。
【請求項５】
前記撮像手段は、小型のビデオカメラであって、前記車両のダッシュボードの上面側に取り付けられたことを特徴とする請求項１記載の地図表示装置。
【請求項６】
前記撮像手段には回転手段が設けられ、この回転手段を駆動することによって、走行道路の左右両側の風景や建物を撮像できるようにしたことを特徴とする請求項１記載の地図表示装置。
【請求項７】
車両の現在位置を検出し、その現在位置に対応する地図情報を地図情報蓄積手段より検索して表示部上に表示するナビゲーション装置において、
前記車両の現在位置に関連した複数の自然画像を記億する自然画像蓄積手段と、
前記地図情報を表示する表示画面を親画面としたとき、この親画面の一部に前記自然画像を表示する少なくともｌつの子画面を選択的に表示する表示部と、
前記子画面への自然画像の表示状態を指示する操作部と、
前記操作部からの指示に基づいて、前記表示部の表示を制御する表示制御部と、撮像手段とで構成され、
前記撮像手段で撮像された自然画像は撮像地点における位置情報と共に前記蓄積手段に蓄積され、
前記撮像手段の撮像、取り込みが前記操作部からの指示に基づいて制御されると共に、予め蓄積された自然画像および前記撮像手段から取り込まれた自然画像のうち、前記車両の現在位置に関連した自然画像を上記子画面に表示するようにしたことを特徴とするナビゲーション装置。
【請求項８】
車両の現在位置を検出し、その現在位置に対応する地図情報を地図情報蓄積手段より検索して表示部上に表示する地図表示方法において、
前記車両の現在位置に関連した複数の自然画像を記億する自然画像蓄積手段と、
前記地図情報を表示する表示画面を親画面としたとき、この親画面の一部に前記自然画像を表示する少なくともｌつの子画面を選択的に表示する表示部と、
前記子画面への自然画像の表示状態を指示する操作部と、
前記操作部からの指示に基づいて、前記表示部の表示を制御する表示制御部と、 撮像手段とで構成され、
前記撮像手段で撮像された自然画像は撮像地点における位置情報と共に前記蓄積手段に蓄積され、
前記撮像手段の撮像、取り込みが前記操作部からの指示に基づいて制御されると共に、予め蓄積された自然画像および前記撮像手段から取り込まれた自然画像のうち、前記車両の現在位置に関連した自然画像を上記子画面に表示するようにしたことを特徴とする地図表示方法。
【手続補正３】
【補正対象書類名】明細書
【補正対象項目名】０００１
【補正方法】変更
【補正の内容】
【０００１】
【発明の属する技術分野】
この発明は、車載用のカーナビゲーション装置などに適用できる地図表示装置、ナビゲーション装置、及び地図表示方法に関する。詳しくは、表示面積の大きな親画面に地図情報を表示し、走行道路の沿線風景や建物などの実際の自然画像を表示面積の小さな子画面に表示することによって、現在位置と、画面に表示された自然画像との対応関係の認識を容易にすると共に、撮像手段を設けて自然画像を地図表示装置内に取り込めるようにすることによって、表示すべき自然画像数を拡張できるようにしたユーザフレンドリーな地図表示装置を提案するものである。
【手続補正４】
【補正対象書類名】明細書
【補正対象項目名】００１０
【補正方法】変更
【補正の内容】
【００１０】
そこでこの発明ではこのような従来の課題を解決するものであって、地図と自然画像とを組み合わせて有効なナビゲーション機能を発揮できるようにすると共に、車両の使用者自らが自然画像を取り込んで蓄積できるようにすることによってユーザフレンドリーな地図表示装置、ナビゲーション装置、及び地図表示方法を実現したものである。
【手続補正５】
【補正対象書類名】明細書
【補正対象項目名】００１３
【補正方法】変更
【補正の内容】
【００１３】
そして、車両使用者やその家族の人たち自らが好みの自然画像を取り込んで子画面に表示できるので、ユーザフレンドリーな地図表示装置を実現できる。
上述した課題を解決するためこの発明に係るナビゲーション装置では、車両の現在位置を検出し、その現在位置に対応する地図情報を地図情報蓄積手段より検索して表示部上に表示するナビゲーション装置において、前記車両の現在位置に関連した複数の自然画像を記億する自然画像蓄積手段と、前記地図情報を表示する表示画面を親画面としたとき、この親画面の一部に前記自然画像を表示する少なくともｌつの子画面を選択的に表示する表示部と、前記子画面への自然画像の表示状態を指示する操作部と、前記操作部からの指示に基づいて、前記表示部の表示を制御する表示制御部と、撮像手段とで構成され、前記撮像手段で撮像された自然画像は撮像地点における位置情報と共に前記蓄積手段に蓄積され、前記撮像手段の撮像、取り込みが前記操作部からの指示に基づいて制御されると共に、予め蓄積された自然画像および前記撮像手段から取り込まれた自然画像のうち、前記車両の現在位置に関連した自然画像を上記子画面に表示するようにしたことを特徴とするものである。
この発明のナビゲーション装置では、車両の現在位置を検出し、その現在位置に対応する地図情報を地図情報蓄積手段より検索して表示部上に表示する場合において、自然画像を表示部の子画面に表示するので、この自然画像を視認することにより、実際に車両が走行している道路の景色や日標物を子画面に表示される自然画像と見比べることができる。
上述した課題を解決するためこの発明に係る地図表示方法では、車両の現在位置を検出し、その現在位置に対応する地図情報を地図情報蓄積手段より検索して表示部上に表示する地図表示方法において、前記車両の現在位置に関連した複数の自然画像を記億する自然画像蓄積手段と、前記地図情報を表示する表示画面を親画面としたとき、この親画面の一部に前記自然画像を表示する少なくともｌつの子画面を選択的に表示する表示部と、前記子画面への自然画像の表示状態を指示する操作部と、前記操作部からの指示に基づいて、前記表示部の表示を制御する表示制御部と、 撮像手段とで構成され、前記撮像手段で撮像された自然画像は撮像地点における位置情報と共に前記蓄積手段に蓄積され、前記撮像手段の撮像、取り込みが前記操作部からの指示に基づいて制御されると共に、予め蓄積された自然画像および前記撮像手段から取り込まれた自然画像のうち、前記車両の現在位置に関連した自然画像を上記子画面に表示するようにしたことを特徴とするものである。
この発明の地図表示方法では、現在位置に対応する地図情報を検索して表示部上に表示する場合において、自然画像を表示部の子画面に表示するので、この自然画像を視認することにより、実際に車両が走行している道路の景色や日標物を子画面に表示される自然画像と見比べることができる。これにより、現在位置の確認が迅速にでき、しかもその確認作業が的確となる。
【手続補正６】
【補正対象書類名】明細書
【補正対象項目名】００１４
【補正方法】変更
【補正の内容】
【００１４】
【発明の実施の形態】
続いて、この発明による地図表示装置、ナビゲーション装置、及び地図表示方法を、上述したカーナビゲーション装置に適用した場合の実施の一形態について、図１以下を参照して説明する。
図１に示すカーナビゲーション装置１０では、装置全体の制御を司るＣＰ∪１を始めとして、後述する位置検出装置２０などからのデータを処理してＣＰＵ１にそのデータを転送するシステムコントローラ２、地図情報などを描画する複数の描画プレーンと、描画データを処理するためのワーキングメモリとして機能するＤＲＡＭなどのメモリ手段３、各種制御プログラムが格納されたフラッシュＲＯＭなどのメモリ手段４、地図情報、沿線沿いの風景や建物などの自然画像情報などが記録された情報蓄積装置６、この情報蓄積装置６をＣＰＵ１に接続するためのインタフェース（Ｉ／Ｆ）回路５、ＬＣＤなどを用いた表示部（モニタ）８およびその表示制御回路７が設けられる。
【手続補正７】
【補正対象書類名】明細書
【補正対象項目名】００５９
【補正方法】変更
【補正の内容】
【００５９】
【発明の効果】
以上説明したようにこの発明では、車両の現在位置を検出し、その現在位置に対応する地図情報を地図データベースより検索して表示を行う地図表示装置、ナビゲーション装置、及び地図表示方法において、車両の現在位置に対応した複数の自然画像を記憶する自然画像データベースを設け、地図情報を表示する表示画面中に重ね合わせた状態で、自然画像を表示する少なくとも１つの子画面を選択的に表示できるようにすると共に、自然画像をユーザ自身が取り込めるようにしたものである。
【手続補正８】
【補正対象書類名】明細書
【補正対象項目名】００６０
【補正方法】変更
【補正の内容】
【００６０】
これによれば、自然画像を表示部の子画面に表示するので、この自然画像を視認することにより、実際に車両が走行している道路の景色や日標物を子画面に表示される自然画像と見比べることができ、現在位置の確認が迅速にでき、しかもその確認作業が的確となる。これは自然画像を使用することによって、地図という二次元虚構の世界と、現実の世界を結び付けることが容易になるからである。